【手続補正書】
【提出日】平成21年4月21日(2009.4.21)
【手続補正１】
【補正対象書類名】特許請求の範囲
【補正対象項目名】全文
【補正方法】変更
【補正の内容】
【特許請求の範囲】
【請求項１】
既定の画像領域単位で変換符号化された符号データを復号化する復号化装置であって、
前記画像領域毎に、補正係数を設定する係数設定手段と、
処理対象の画像領域である注目領域の第１の量子化インデクス値と、この注目領域に対して既定の相対位置にある他の画像領域の第２の量子化インデクス値と、前記係数設定手段により設定された補正係数とに基づいて、この注目領域のインデクス値に対応する逆量子化値を生成する逆量子化値生成手段と
を有する復号化装置。
【請求項２】
前記逆量子化値生成手段は、
前記係数設定手段により設定された補正係数と、前記他の画像領域の第２の量子化インデクス値とを用いて、前記注目領域の第１の量子化インデクス値を補正するインデクス補正手段と、
前記インデクス補正手段により補正された注目領域の第１の量子化インデクス値と、量子化間隔とを用いて、逆量子化値を算出する逆量子化値算出手段と
を含む
請求項１に記載の復号化装置。
【請求項３】
前記逆量子化値生成手段は、
第１の量子化インデクス値と、第２の量子化インデクス値と、量子化間隔とを用いて、注目領域の第１の一時的逆量子化値及び他の画像領域の第２の一時的逆量子化値とを算出する逆量子化値算出手段と、
前記逆量子化値算出手段により算出された前記他の画像領域の第２の一時的逆量子化値と、前記係数設定手段により設定された補正係数とを用いて、前記逆量子化値算出手段により算出された注目領域の第１の一時的逆量子化値を補正する逆量子化値補正手段と
を含む
請求項１に記載の復号化装置。
【請求項４】
前記係数設定手段は、前記注目領域の第１の量子化インデクス値又はこれに対応する第１の一時的逆量子化値と、この注目領域に対して既定の相対位置にある他の画像領域の第２の量子化インデクス値又はこれに対応する第２の一時的逆量子化値とに基づいて、この注目領域に対する補正係数を設定する
請求項１に記載の復号化装置。
【請求項５】
前記係数設定手段は、前記注目領域及び前記他の画像領域の第１及び第２の量子化インデクス値又はこれらに対応する第１及び第２の一時的逆量子化値の分布状態に基づいて、畳込み演算の係数を設定し、
前記逆量子化値生成手段は、前記係数設定手段により設定された畳込み演算の係数を用いて、前記注目領域及び前記他の画像領域の第１及び第２の量子化インデクス値又はこれらに対応する第１及び第２の一時的逆量子化値に対して畳込み演算を行うことにより、前記注目領域の逆量子化値を生成する
請求項４に記載の復号化装置。
【請求項６】
前記係数設定手段は、前記逆量子化値生成手段により生成される逆量子化値が第１の量子化インデクス値に対応する量子化区間におさまるように前記補正係数を設定する
請求項１〜５のいずれかに記載の復号化装置。
【請求項７】
前記係数設定手段は、前記注目領域及びこの注目領域に隣接する他の画像領域から、同じ周波数成分の第１及び第２の量子化インデクス値又はこれに対応する第１及び第２の一時的逆量子化値を抽出し、抽出された第１及び第２の量子化インデクス値又は第１及び第２の一時的逆量子化値の分散に基づいて、この注目領域に対する補正係数を設定し、
前記逆量子化値生成手段は、前記注目領域及びこの注目領域に隣接する他の画像領域から、同じ周波数成分の第１及び第２の量子化インデクス値又はこれに対応する第１及び第２の一時的逆量子化値を抽出し、抽出された第１及び第２の量子化インデクス値又は第１及び第２の一時的逆量子化値と、前記係数設定手段により設定された補正係数とを用いて、この注目領域の第１の量子化インデクス値に対応する逆量子化値を生成する
請求項４に記載の復号化装置。
【請求項８】
前記係数設定手段は、前記注目領域を中心とした既定サイズの画像領域群に含まれる同一周波数成分の量子化インデクス値の分散Ｎと、以下の式とを用いて、第１のフィルタ係数（Ｗ＋α）及び第２のフィルタ係数αを算出し、
Ｗ＝｛Ｎ−１／１２｝／Ｎ｝
α＝（１−Ｗ）／（２Ｌ＋１）2
前記インデクス補正手段は、前記注目領域を中心とした（２Ｌ＋１）×（２Ｌ＋１）サイズの画像領域群の量子化インデクスに対して、中心の係数が前記第１のフィルタ係数（Ｗ＋α）であり、かつ、他の係数が第２のフィルタ係数αである（２Ｌ＋１）×（２Ｌ＋１）の２次元フィルタを掛けて、補正された量子化インデクス値を得る
請求項２に記載の復号化装置。
【請求項９】
既定の画像領域単位で変換された量子化インデクスを逆量子化する逆量子化方法であって、
前記画像領域毎に、補正係数を設定し、
処理対象の画像領域である注目領域の量子化インデクス値と、この注目領域に対して既定の相対位置にある他の画像領域の量子化インデクス値と、設定された前記補正係数とに基づいて、この注目領域の量子化インデクス値に対応する逆量子化値を生成する
逆量子化方法。
【請求項１０】
既定の画像領域単位で変換符号化された符号データを復号化する復号化装置において、
前記画像領域毎に、補正係数を設定するステップと、
処理対象の画像領域である注目領域の量子化インデクス値と、この注目領域に対して既定の相対位置にある他の画像領域の量子化インデクス値と、設定された前記補正係数とに基づいて、この注目領域の量子化インデクス値に対応する逆量子化値を生成するステップと
を前記復号化装置に実行させるプログラム。
【手続補正２】
【補正対象書類名】明細書
【補正対象項目名】０００４
【補正方法】変更
【補正の内容】
【０００４】
［復号化装置］
上記目的を達成するために、本発明にかかる復号化装置は、既定の画像領域単位で変換符号化された符号データを復号化する復号化装置であって、前記画像領域毎に、補正係数を設定する係数設定手段と、処理対象の画像領域である注目領域の第１の量子化インデクス値と、この注目領域に対して既定の相対位置にある他の画像領域の第２の量子化インデクス値と、前記係数設定手段により設定された補正係数とに基づいて、この注目領域のインデクス値に対応する逆量子化値を生成する逆量子化値生成手段とを有する。
【手続補正３】
【補正対象書類名】明細書
【補正対象項目名】０００５
【補正方法】変更
【補正の内容】
【０００５】
好適には、前記逆量子化値生成手段は、前記係数設定手段により設定された補正係数と、前記他の画像領域の第２の量子化インデクス値とを用いて、前記注目領域の第１の量子化インデクス値を補正するインデクス補正手段と、前記インデクス補正手段により補正された注目領域の第１の量子化インデクス値と、量子化間隔とを用いて、逆量子化値を算出する逆量子化値算出手段とを含む。
【手続補正４】
【補正対象書類名】明細書
【補正対象項目名】０００６
【補正方法】変更
【補正の内容】
【０００６】
好適には、前記逆量子化値生成手段は、第１の量子化インデクス値と、第２の量子化インデクス値と、量子化間隔とを用いて、注目領域の第１の一時的逆量子化値及び他の画像領域の第２の一時的逆量子化値とを算出する逆量子化値算出手段と、前記逆量子化値算出手段により算出された前記他の画像領域の第２の一時的逆量子化値と、前記係数設定手段により設定された補正係数とを用いて、前記逆量子化値算出手段により算出された注目領域の第１の一時的逆量子化値を補正する逆量子化値補正手段とを含む。
【手続補正５】
【補正対象書類名】明細書
【補正対象項目名】０００７
【補正方法】変更
【補正の内容】
【０００７】
好適には、前記係数設定手段は、前記注目領域の第１の量子化インデクス値又はこれに対応する第１の一時的逆量子化値と、この注目領域に対して既定の相対位置にある他の画像領域の第２の量子化インデクス値又はこれに対応する第２の一時的逆量子化値とに基づいて、この注目領域に対する補正係数を設定する。
【手続補正６】
【補正対象書類名】明細書
【補正対象項目名】０００８
【補正方法】変更
【補正の内容】
【０００８】
好適には、前記係数設定手段は、前記注目領域及び前記他の画像領域の第１及び第２の量子化インデクス値又はこれらに対応する第１及び第２の一時的逆量子化値の分布状態に基づいて、畳込み演算の係数を設定し、前記逆量子化値生成手段は、前記係数設定手段により設定された畳込み演算の係数を用いて、前記注目領域及び前記他の画像領域の第１及び第２の量子化インデクス値又はこれらに対応する第１及び第２の一時的逆量子化値に対して畳込み演算を行うことにより、前記注目領域の逆量子化値を生成する。
【手続補正７】
【補正対象書類名】明細書
【補正対象項目名】０００９
【補正方法】変更
【補正の内容】
【０００９】
好適には、前記係数設定手段は、前記逆量子化値生成手段により生成される逆量子化値が第１の量子化インデクス値に対応する量子化区間におさまるように前記補正係数を設定する。
【手続補正８】
【補正対象書類名】明細書
【補正対象項目名】００１０
【補正方法】変更
【補正の内容】
【００１０】
好適には、前記係数設定手段は、前記注目領域及びこの注目領域に隣接する他の画像領域から、同じ周波数成分の第１及び第２の量子化インデクス値又はこれに対応する第１及び第２の一時的逆量子化値を抽出し、抽出された第１及び第２の量子化インデクス値又は第１及び第２の一時的逆量子化値の分散に基づいて、この注目領域に対する補正係数を設定し、前記逆量子化値生成手段は、前記注目領域及びこの注目領域に隣接する他の画像領域から、同じ周波数成分の第１及び第２の量子化インデクス値又はこれに対応する第１及び第２の一時的逆量子化値を抽出し、抽出された第１及び第２の量子化インデクス値又は第１及び第２の一時的逆量子化値と、前記係数設定手段により設定された補正係数とを用いて、この注目領域の第１の量子化インデクス値に対応する逆量子化値を生成する。
【手続補正９】
【補正対象書類名】明細書
【補正対象項目名】００１２
【補正方法】変更
【補正の内容】
【００１２】
［逆量子化方法］
また、本発明にかかる逆量子化方法は、既定の画像領域単位で変換された量子化インデクスを逆量子化する逆量子化方法であって、前記画像領域毎に、補正係数を設定し、処理対象の画像領域である注目領域の量子化インデクス値と、この注目領域に対して既定の相対位置にある他の画像領域の量子化インデクス値と、設定された前記補正係数とに基づいて、この注目領域の量子化インデクス値に対応する逆量子化値を生成する。
【手続補正１０】
【補正対象書類名】明細書
【補正対象項目名】００１３
【補正方法】変更
【補正の内容】
【００１３】
［プログラム］
また、本発明にかかるプログラムは、既定の画像領域単位で変換符号化された符号データを復号化する復号化装置において、前記画像領域毎に、補正係数を設定するステップと、処理対象の画像領域である注目領域の量子化インデクス値と、この注目領域に対して既定の相対位置にある他の画像領域の量子化インデクス値と、設定された前記補正係数とに基づいて、この注目領域の量子化インデクス値に対応する逆量子化値を生成するステップとを前記復号化装置に実行させる。
【手続補正１１】
【補正対象書類名】明細書
【補正対象項目名】００４１
【補正方法】変更
【補正の内容】
【００４１】
逆量子化部５０において、逆量子化値算出部５００は、エントロピ復号部４０から入力された量子化インデクス値に基づいて、逆量子化値を算出し、算出された逆量子化値を近傍抽出部５１０に出力する。
本例の逆量子化値算出部５００は、入力された量子化インデクス値Ｑと、量子化ステップ幅Ｄとを用いて、一時的逆量子化値Ｓ（以下、単に逆量子化値Ｓという。）を算出する。